(57)【要約】【課題】より利便性に優れる警備用案内装置を提供する。【解決手段】警備現場に存在する壁、仮囲い、看板等の取付対象に取り付けて使用する警備用案内装置Ａであって、通行人に対する案内文を表示するディスプレイ１０と、通行人に対する案内音声を出力するスピーカ２０と、を少なくとも具備してなり、案内装置Ａの外形を人型ロボットの頭部に模した形状とすることで、通行人に親しみを感じてもらいつつ興味や注意を引かせることで、無人による案内業務の効率を高める。【選択図】図１
0003235006.tif 000002
【実用新案登録請求の範囲】
【請求項１】
警備現場に存在する壁、仮囲い、看板等の取付対象に取り付けて使用する、警備用案内装置であって、
通行人に対する案内文を表示する、ディスプレイと、
前記通行人に対する案内音声を出力する、スピーカと、
を少なくとも具備し、
前記案内装置の外形が、人型ロボットの頭部に模した形状を呈することを特徴とする、
警備用案内装置。
【請求項２】
前記ディスプレイが湾曲形状を呈することを特徴とする、
請求項１に記載の警備用案内装置。
【請求項３】
前記ディスプレイが、前記案内文を表示する、表示画面と、
前記表示画面を覆うように配置して、黒色系統に着色された半透明の保護カバーと、
を少なくとも有し、
前記表示画面および前記保護カバーが湾曲形状を呈することを特徴とする、
請求項１または２に記載の警備用案内装置。
【請求項４】
前記ディスプレイが、前記人型ロボットの頭部の顔部分に対応する顔映像を表示する機能をさらに有することを特徴とする、
請求項１乃至３のうち何れか１項に記載の警備用案内装置。
【請求項５】
前記通行人の接近を検知する、人感センサを更に具備し、
前記ディスプレイおよび前記音声出力部のうち少なくとも何れか一方が、前記人感センサの検知反応によって作動することを特徴とする、
請求項１乃至４のうち何れか１項に記載の警備用案内装置。
【請求項６】
取付箇所の周囲を撮影する、カメラを更に具備し、
前記カメラで撮影した映像を、装置本体に装着可能な記憶媒体及び又はネットワーク経由によるサーバへと保存可能としてあることを特徴とする、
請求項１乃至５のうち何れか１項に記載の警備用案内装置。
【請求項７】
前記カメラによる撮影データが所定時間毎に分割されたファイルで保存され、ファイル名に録画の開始時間および終了時間のうち少なくとも何れか１つを付与しておくことを特徴とする、
請求項１乃至６のうち何れか１項に記載の警備用案内装置。
【考案の詳細な説明】
【技術分野】
【０００１】
本考案は、工事現場、公共交通機関、商業施設などの警備現場に存在する壁、仮囲い、看板等の取付対象に取り付けて使用する、警備用案内装置に関する。
【背景技術】
【０００２】
雑踏警備や交通誘導警備などの警備業務において、有人警備の一部を無人警備に切り換えても同等の警備効率を達成するための警備看板として、出願人は、以下の特許文献１に係る考案を着想している。
この考案に係る警備看板は、折り畳み可能に構成した本体部と、前記本体部に取付可能な案内装置とからなり、道路工事現場での歩行者用迂回路の出入口に常駐させる警備員と置きかえることで、人件費の圧縮を実現している。
【０００３】
また、出願人は、前記特許文献１に係る警備看板を構成する案内装置の改良型として、以下の特許文献２に係る発明を着想している。
この発明に係る警備用案内装置は、人感センサによる通行人の検知によって作動するカメラを設けており、当該カメラでもって通行人などによる装置へのいたずらや、通行人の転倒・衝突などの事故の記録の保存を可能としている。
【先行技術文献】
【特許文献】
【０００４】
【特許文献１】実用新案登録第３２１１６９０号公報
【特許文献２】特許第６４４６５８４号公報
【考案の概要】
【考案が解決しようとする課題】
【０００５】
本考案は、上記した特許文献１，２に係る考案または発明から更に改良を施すことで、より利便性に優れる警備用案内装置を提供することを目的の一つとする。
【課題を解決するための手段】
【０００６】
上記課題を解決すべくなされた本願考案は、警備現場に存在する壁、仮囲い、看板等の取付対象に取り付けて使用する、警備用案内装置であって、通行人に対する案内文を表示する、ディスプレイと、前記通行人に対する案内音声を出力する、スピーカと、を少なくとも具備し、前記案内装置の外形が、人型ロボットの頭部に模した形状を呈することを特徴とするものである。
また、本願考案は、前記ディスプレイを湾曲形状とすることができる。
また、本願考案は、前記ディスプレイを、前記案内文を表示する、表示画面と、前記表示画面を覆うように配置して、黒色系統に着色された半透明の保護カバーと、を少なくとも有して構成し、前記表示画面および前記保護カバーを湾曲形状に構成することもできる。
また、本願考案は、前記ディスプレイに、さらに前記人型ロボットの頭部の顔部分に対応する顔映像を表示する機能を設けても良い。
また、本願考案は、前記通行人の接近を検知する、人感センサを更に具備し、前記ディスプレイおよび前記音声出力部のうち少なくとも何れか一方が、前記人感センサの検知反応によって作動するよう構成することもできる。
また、本願考案は、取付箇所の周囲を撮影する、カメラを更に具備し、前記カメラで撮影した映像を、案内装置本体に装着可能な記憶媒体及び又はネットワーク経由によるサーバへと保存可能に構成することもできる。
また、本願考案は、前記カメラによる撮影データが所定時間毎に分割されたファイルで保存され、ファイル名に録画の開始時間および終了時間のうち少なくとも何れかを付与しておくよう構成することもできる。
【考案の効果】
【０００７】
本考案によれば、以下に記載する効果のうち、少なくとも何れか１つの効果を得ることができる。
（１）案内装置を人型ロボットの頭部に模した外形とすることにより、案内装置により立体的な存在感を発揮させることができ、通行人の注意や興味をより強く引かせることができる。
（２）ディスプレイを湾曲形状とすることにより、ヘッドライトや太陽光などの光の反射によってディスプレイの全面が白光りすることを抑制し、通行人の目線上での案内文の視認性の悪化を抑制できる。
（３）ディスプレイを湾曲形状とすることにより、ディスプレイの左右両側と比較して、中央部分に表示される文字がレンズ効果によって大きく見えることから、通行人が案内文を読みやすい効果が期待できる。
（４）ディスプレイを湾曲形状とすることにより、ディスプレイを平坦形状とした場合と比較して、案内装置全体の横幅を小さくできるため、可搬性の向上に繋がる。
（５）黒色系統に着色された半透明の保護カバーを有することにより、屋外などの強い日射状況においても表示画面の案内文や画像の視認性を高めることができる。
（６）ディスプレイに人型ロボットの表情用画像を表示可能な構成としておくことで、笑顔の警備ロボットが案内業務を行っているように感じさせ、より通行人に親しみを感じてもらいやすく、心理的に案内事項を受け入れてもらいやすい。
（７）人感センサによる通行人の接近を検知することで、視覚的およびまたは聴覚的に案内を行うことで、冗長な案内を防止することができ、消費電力の節減にもつながる。
（８）カメラによる撮影データを保存することで、通行人等による案内装置へのいたずらや、通行人の転倒・衝突などの事故等を記録しておくことができる。
（９）カメラによる撮影データを、所定時間毎に分割されたファイルで保存し、ファイル名に録画の開始時間および終了時間のうち少なくとも何れかを付与しておくことにより、事故等の発生等によって、事後的に撮影データを確認したい場合などに、データ検索が容易となる。
【図面の簡単な説明】
【０００８】
【図１】本考案に係る案内装置の概略正面図。
【図２】ディスプレイの構造を示す模擬断面図。
【図３】ディスプレイの表示例を示す概略正面図。
【図４】本考案に係る案内装置の概略底面図。
【図５】本考案に係る案内装置の概略背面図
【図６】本考案に係る案内装置の使用例を示す概略図。
【考案を実施するための形態】
【０００９】
以下、図面を参照しながら、本考案の実施例について説明する。
【実施例】
【００１０】
＜１＞全体構成（図１）
本考案に係る警備用案内装置（以下、単に「案内装置Ａ」ともいう。）は、警備現場に存在する壁、仮囲い、看板等の取付対象に取り付けておき、通行人に対し、視覚的および聴覚的に案内や注意喚起を行う為の装置である。
図１に示す案内装置Ａは、人型ロボットの頭部に模した外形を呈する筐体で構成している。当該構成とすることにより、通行人からみて案内装置Ａに興味や親しみを感じてもらいやすい効果が期待できる。
そして、本考案に係る案内装置Ａは、ディスプレイ１０およびスピーカ２０を設け、さらに人感センサ３０およびカメラ４０を設けている。
以下、各要素の詳細について説明する。
【００１１】
＜２＞ディスプレイ（図１〜図３）
ディスプレイ１０は、通行人に対し、視覚的に案内や注意喚起を行う為の装置である。
【００１２】
＜２．１＞ディスプレイの位置（図１）
本実施例において、ディスプレイ１０は、案内装置Ａの前面側中央に配置されており、案内装置Ａと向き合う通行人に対してディスプレイ１０の表示を視認可能に構成している。
本実施例に係るディスプレイ１０は、人型ロボットの顔部分の大半を占めるように設けることにより、案内装置Ａと通行人との間で顔を見合わせて会話をしているかのような印象で、ディスプレイ１０に表示された案内事項を確認してもらうことができる。
【００１３】
＜２．２＞ディスプレイの形状（図１）
本実施例に係るディスプレイ１０は、左右方向両側を裾部として中央に向かって山なりとなるような湾曲形状を呈している。
当該形状とすることにより、案内装置Ａが模擬する人型ロボットの顔部分に丸みを持たせることとなり、より立体的な存在感が発揮できることから、通行人の注意や興味をより強く引かせることができる。
また、ディスプレイ１０に光が照射された際に、当該光の照射元方向に直接反射される部分が少ないため、屋外などの強い日射状況においても、正面から近づいてくる通行人から見て、ディスプレイ１０の全面が白光りして案内文の視認ができなくなることがない。
また、ディスプレイ１０が湾曲形状を有することにより、ディスプレイ１０の左右両側と比較して、中央部分に表示される文字が大きく見えることから、通行人が案内文を読みやすい効果も期待できる。
また、ディスプレイ１０を湾曲形状とすると、ディスプレイ１０を平坦形状とした場合と比較して、案内装置全体の横幅を小さくできるため、可搬性の向上に繋がる。
【００１４】
＜２．３＞ディスプレイの表面態様（図１，２）
本実施例に係るディスプレイ１０は、図２に示すように、案内文を表示するための発光体を配置してなる表示画面１１を、黒色系統に着色された半透明の保護カバー１２で覆うように構成している。
保護カバー１２には、ポリカーボネート板などを用いることができる。
この保護カバー１２を有することにより、屋外などの強い日射状況においても表示画面１１で表示する案内文や画像の視認性を高めることができる。
また、表示画面１１および保護カバー１２の何れも湾曲形状を有することで、レンズ効果を発揮する拡大視空間１３が形成され、表示画面１１の中央に表示される文字が、より大きく視認されることとなる。
【００１５】
＜２．４＞ディスプレイでの表示内容（図３）
ディスプレイ１０には、案内装置Ａに設けてある情報処理装置（図示せず）による制御によって、図３に示すように、決められた案内文を電光掲示板のようにスクロール表示させたり（図３（ａ））、人型ロボットの顔の部位（目、鼻、口など）に相当する映像（表情用画像）を表示させて、人型ロボットの表情にバリエーションを持たせたりすることができる（図３（ｂ））。
特に、図３（ｂ）のように、ディスプレイ１０に人型ロボットの表情用画像を表示可能な構成としておくと、例えば、笑顔の警備ロボットが案内業務を行っているように感じさせることができ、より通行人に親しみを感じてもらいやすく、案内事項を聞き入れてもらいやすい効果が期待できる。
【００１６】
＜２．５＞ディスプレイでの表示切替
ディスプレイ１０に表示する案内文や人型ロボットの表情用画像は、案内装置Ａの設置場所によって想定される定型文や表情パターンを複数記録しておき、別途用意されるリモコンや、後述する設定部５０に設けた設定ボタン等によって、望ましい定型文を選択して使用することができる。
【００１７】
＜３＞スピーカ（図１）
スピーカ２０は、通行人に対し、聴覚的に案内や注意喚起を行う為の装置である。
本実施例において、スピーカ２０は、案内装置Ａの前面側下部、すなわち当該人型ロボットの頭部の口元中央から左右に設けたスリット部分から音声が出力される形で、装置内部に収納されている。
スピーカ２０からは、案内装置Ａに設けてある情報処理装置（図示せず）による制御によって、予め記録した定型文の案内音声を出力させることができる。
この案内音声は、案内装置Ａの設置場所によって想定される定型文を複数記録しておき、別途用意したリモコンや、後述する設定部５０に設けた設定ボタン等によって、望ましい定型文を選択して使用することができる。
また、スピーカ２０には、出力音声の音量調整機能を設けても良い。当該機能を有することにより、周囲の騒音に音声がかき消されることなく、案内や注意喚起を行うことができる。
【００１８】
＜４＞人感センサ（図１）
人感センサ３０は、周辺の人や物の動きを検知するための装置である。
人感センサ３０は、通行人の接近を検知することで、前記したディスプレイ１０やスピーカ２０からの案内の出力を開始させるよう構成することができる。
人感センサ３０の検知機構としては、赤外線、超音波、可視光などを用いた物や、人や動物などの温度をもつものから自然に放射されている赤外線による温度変化を検知する熱センサなどから選択したもの、あるいはこれらの組合せで構成することができる。
本実施例では、赤外線による温度変化を検知する熱センサによる人感センサ３０を、案内装置Ａの前面側下部、すなわち当該人型ロボットの頭部の口元中央付近に設けてある。
【００１９】
＜５＞カメラ（図１）
カメラ４０は、案内装置Ａの取付箇所の周囲を撮影するための装置である。
カメラ４０は、前記した人感センサ３０の検知反応によって作動する形としてもよいし、人感センサ３０によらずに常時作動し続ける形としてもよく、いわゆる監視カメラ４０として機能する態様であれば如何なる態様を採用してもよい。
る。
本考案において、カメラ４０による撮影データは、静止画や、無音の動画であっても良いし、別途用意してある集音マイクなどから拾った音声と組み合わせて、音声付きの動画であってもよい。
本実施例では、広角レンズで構成したカメラ４０を、案内装置Ａの前面側上部、すなわち当該人型ロボットの頭部の額付近に設けてある。
【００２０】
＜５．１＞撮影データの保存態様
カメラ４０による撮影データは、案内装置Ａに設けてある情報処理装置（図示せず）に備えつけてあるか、または装着自在に構成してある記憶媒体へと保存しても良いし、当該情報処理装置に設けてある有線または無線のネットワークを介して、外部のサーバ等に保存するよう構成してもよい。
【００２１】
＜５．２＞撮影データの分割保存
カメラ４０による撮影データの保存は、記憶媒体やサーバに対し、所定時間毎に分割されたファイルで保存し、ファイル名に録画の開始時間や終了時間などが付与される形としておくと、事故の発生等によって、特定の時間帯の撮影データを事後確認したい場合などに有益である。
【００２２】
＜５．３＞撮影データの自動消去
カメラ４０による撮影データは、記憶媒体の残り容量が少なくなった場合や、所定期間の経過を判断条件として、古い撮影データから自動的に削除を行うように構成してもよい。
当該構成とすることにより、本考案においてカメラ４０を常時作動し続けた構成とする場合に、直近の撮影データの保存に失敗することが無くなる。
【００２３】
＜６＞設定部（図４）
図４に、案内装置Ａの底部を示す。
案内装置Ａの底部には、設定部５０を設けている。設定部５０には、音量調整ボタン、ディスプレイ１０およびスピーカ２０での案内内容の切り換えを行う設定ボタン、ディスプレイ１０に表示させる案内文のテキストデータや、人型ロボットの表情を構成する画像データなどを保存してある記憶媒体を差し込むための第１の差込口、スピーカ２０による音声出力データを保存してある記憶媒体を差し込むための第２の差込口、カメラ４０による撮影データを保存するための記憶媒を差し込むための第３の差込口、内部プログラムのアップデートやネットワーク通信を行うためのＬＡＮポートなどを設けてある。
本実施例では、屋外での使用時等に設定部５０への浸水等を防止するためのカバーを設けている（図示せず）。
また、本実施例では、案内装置Ａの底部に、設定部５０とは別に電源ボタン６１と充電口６２を設けており、前記カバーの開閉を行わずとも電源のＯＮ／ＯＦＦや、充電作業を実行可能としている。
【００２４】
＜７＞背面構造（図５）
図５に、案内装置Ａの背面側を示す。
案内装置Ａの背面側は、工事現場、公共交通機関、商業施設などの警備現場に存在する壁や看板などの取付対象Ｃとの取付面に相当するものであり、例えば磁力によって貼り付ける構成や、壁等に設けたフックに係止する機構を設けた構成など、種々の取付構造を採用することができる。
本実施例では、案内装置Ａの背面側を、折曲線７１ｃを境界として直交面７１ａと傾斜面７１ｂとで構成している。直交面７１ａは、前記カメラ４０のレンズ軸と直交する方向を面方向としており、傾斜面７１ｂは、前記直交面７１ａに対し一定角度で交わる方向を面方向としている。
各面には、複数の磁石７２を、間隔を空けて配置した構成を呈している。
当該構成により、壁や看板などの取付対象Ｃに対して、直交面７１ａと傾斜面７１ｂの何れかを取付面とするかを任意に選択でき、カメラ４０のレンズ軸の向きを調整することができる。
また、直交面７１ａの縁部近傍には、挿通孔７３を設けており、この挿通孔７３にワイヤーなどを取り付けて定置物などに係留しておくことで、設置した案内装置Ａの持ち去りを防止することができる。
【００２５】
＜８＞使用イメージ（図６）
図６に、案内装置Ａの使用イメージを示す。
図６では、まず、工事現場の周辺に一般的に配備されている案内看板などの取付対象Ｃに、ロール状や蛇腹状から展開可能な警備看板Ｂを取り付けている。警備看板Ｂには、人型の警備ロボットの頭部を除く胴体部分等が図示されている。この警備ロボットの頭部に相当する位置に、本考案に係る案内装置Ａを取り付けて、警備ロボットを完成させる。
また、警備ロボットの肩部には別途青色発光のパトランプを設けている。
上記構成の警備ロボットを、警備箇所に設置しておくことにより、通行人の接近等を人感センサ３０で検知した際に、案内装置Ａのディスプレイ１０による案内文の表示や、スピーカ２０による案内音声の出力によって、通行人に注意喚起を行う。
また、カメラ４０による周辺の録画を常時行っておくことで、通行人等による案内装置へのいたずらや、通行人の転倒・衝突などの事故等を記録しておくことができる。
【符号の説明】
【００２６】
Ａ      案内装置
１０    ディスプレイ
１１    表示画面
１２    保護カバー
１３    拡大視空間
２０    スピーカ
３０    人感センサ
４０    カメラ
５０    設定部
６１    電源ボタン
６２    充電口
７１ａ  直交面
７１ｂ  傾斜面
７１ｃ  折曲線
７２    磁石
７３    挿通孔
Ｂ      警備看板
Ｃ      取付対象
【図１】
0003235006.tif 000003
【図２】
0003235006.tif 000004
【図３】
0003235006.tif 000005
【図４】
0003235006.tif 000006
【図５】
0003235006.tif 000007
【図６】
0003235006.tif 000008
【手続補正書】
【提出日】令和3年7月14日(2021.7.14)
【手続補正１】
【補正対象書類名】図面
【補正対象項目名】全図
【補正方法】変更
【補正の内容】
【図１】
0003235006.tif 000009
【図２】
0003235006.tif 000010
【図３】
0003235006.tif 000011
【図４】
0003235006.tif 000012
【図５】
0003235006.tif 000013
【図６】
0003235006.tif 000014